(57)【要約】【課題】下部ポールと上部ポールと仮支柱と巻き上げ手段とを有し、一人でも簡単に確実に建てることの可能なポール装置を提供する。【解決手段】電線や電話引き込み線等を支持するためのポール装置１であって、下端部分が地中に埋め込み状に挿入されて地面に立設されるパイプ状の下部ポール２と、前記下部ポール２の上端部分に下端部分を嵌合固定可能なパイプ状の上部ポール３と、この下部ポール２の上端付近部分に取り外し可能に固定され且つ有底の円筒支持孔２１を有する支持金具４と、この支持金具４の円筒支持孔２１に下端部分が回動自在に挿入された巻き上げ用の仮支柱５と、前記仮支柱の上端部に付設された滑車３０と、一端部が上部ポール３に連結されて前記滑車３０を経由して下方へ延びるワイヤ３２とを有し、上部ポール３を手動操作にて巻き上げ可能な巻き上げ手段とを備えた。【選択図】  図１
0003129614.tif 000002
【実用新案登録請求の範囲】
【請求項１】
電線や電話引き込み線等を支持する為のポール装置であって、
下端部分が地中に埋め込み状に挿入されて地面に立設されるパイプ状の下部ポールと、  前記下部ポールの上端部分に下端部分を嵌合固定可能なパイプ状の上部ポールと、
この下部ポールの上端付近部分に取り外し可能に固定され且つ有底の円筒支持孔を有する支持金具と、
この支持金具の円筒支持孔に下端部分が回動自在に挿入された巻上げ用の仮支柱と、    前記仮支柱の上端部に付設された滑車と、一端部が上部ポールに連結されて前記滑車を経由して下方へ延びるワイヤとを有し、上部ポールを手動操作にて巻上げ可能な巻上げ手段と、
を備えたことを特徴とするポール装置。
【請求項２】
前記上部ポールの重心より上側の途中部に吊り固定金具を設け、前記巻き上げ手段は、仮支柱に上下スライド可能に外装され且つ前記吊り固定金具に連結部材を介して連結された吊り金具を有することを特徴とする請求項１に記載のポール装置。
【請求項３】
前記下部ポールの途中部に取り外し可能に固定され且つ上部ポールを立向き姿勢にして仮置き可能な仮置台を有することを特徴とする請求項２に記載のポール装置。
【請求項４】
前記巻上げ手段を介して上部ポールを下部ポールの上端より高い位置まで巻上げてから、仮支柱をその軸心回りに手動操作にて回動させることで、上部ポールと下部ポールをほぼ同心状に位置合せ可能に構成されたことを特徴とする請求項３に記載のポール装置。
【請求項５】
前記上部ポールの下端部分が下部ポールの上端部分に外嵌され且つボルトにて固定されることを特徴とする請求項１〜４の何れかに記載のポール装置。
【考案の詳細な説明】
【技術分野】
【０００１】
本考案は、工事現場などにおいて電線や電話線を引き込んで固定支持する為のポール装置に関し、一人で簡単に設置可能にしたポール装置に関する。
【背景技術】
【０００２】
工事現場などにおいて電線や電話線を引き込んで固定支持する為にポール（電柱）を建てる必要がある。このポールは、鋼製のパイプ材からなり、長さが約６〜７ｍ、重量が約3 ０〜4 ０ｋｇ程度のものであり、地面に約１ｍの深さの穴を堀り、その穴にポールを建て、ポールの下端部分を地中に約１ｍ程度埋め込んでから穴に土を埋め戻したり、コンクリートを打ち込むことで鉛直姿勢に強固に保持する。このポールを建てる方法については、特許文献１の従来技術の欄に詳細に記載されているとおりである。
【０００３】
上記の特許文献１には、ポールの建て込みに使用する為のポールの建込具が提案されている。このポールの建込具は、地面の立穴に設置する半円筒状の案内板と、この案内板の上端部に回動可能に連結され水平姿勢にしたポールの下端部分を受け且つ水平姿勢から鉛直姿勢に切換え可能な半円筒状の支持板と、この支持板の先端部分に装備されてポールを支持板から離脱しないように押える半円状の押え桿などを有する。
ポールを建てる際には、水平姿勢のポールの下端部分を支持板に載せ、その下端部分を押え桿で支持板に押え、ポールの下端を案内板で案内しながらポールを上方へ起して鉛直姿勢に建てることができる。
【特許文献１】特開２００１−１７７９３５号公報
【考案の開示】
【考案が解決しようとする課題】
【０００４】
従来技術のように、人手でポールを建てる際には、ポールが重く、長いものであるため、二人がかりで行なわなければならないため、多大の時間と労力がかかり、ポールの設置費用が高価になる。
前記特許文献１のポールの建込具を採用したとしても、３０ｋｇ以上もの重量のポールを一人で建てることが不可能でないとしても、多大の労力と時間がかり、安全性の面でも問題が残っている。
本考案の目的は、下部ポールと上部ポールと仮支柱と巻き上げ手段とを有し、一人で簡単に確実に建てることの可能なポール装置を提供することである。
【課題を解決するための手段】
【０００５】
請求項１に係るポール装置は、電線や電話引き込み線等を支持する為のポール装置であって、下端部分が地中に埋め込み状に挿入されて地面に立設されるパイプ状の下部ポールと、前記下部ポールの上端部分に下端部分を嵌合固定可能なパイプ状の上部ポールと、この下部ポールの上端付近部分に取り外し可能に固定され且つ有底の円筒支持孔を有する支持金具と、この支持金具の円筒支持孔に下端部分が回動自在に挿入された巻上げ用の仮支柱と、前記仮支柱の上端部に付設された滑車と、一端部が上部ポールに連結されて前記滑車を経由して下方へ延びるワイヤとを有し、上部ポールを手動操作にて巻上げ可能な巻上げ手段とを備えたことを特徴とするものである。
【０００６】
このポール装置を建てる際には、下部ポールの上端付近部分に支持金具を取り付け、この支持金具の円筒支持孔に仮支柱の下端部分を挿入して保持し、巻き上げ手段のワイヤを仮支柱の上端の滑車を経由して上部ポールに連結した状態にする。
この状態において、地面の穴（深さ約１ｍ）に下部ポールの下端部分を挿入して鉛直姿勢に建てて埋め戻すか、コンクリートを打ち込んで地面に強固に固定する。
【０００７】
次に、巻き上げ手段のワイヤを手動操作で巻き取っていくことにより、上部ポールをその下端が下部ポールの上端よりも高くなる位置まで吊り上げ、次に仮支柱を約９０度回動させることにより、上部ポールを下部ポールの上方に位置させて軸心を合せてから、下降させることにより、上部ポールの下端部分を下部ポールの上端部分に嵌合固定させる。
その後、必要に応じて、支持金具と巻き上げ手段を解体して取り外すと、ポール装置が完成する。
【０００８】
請求項２のポール装置は、請求項１の考案において、前記上部ポールの重心より上側の途中部に吊り固定金具を設け、前記巻き上げ手段は、仮支柱に上下スライド可能に外装され且つ前記吊り固定金具に連結部材を介して連結された吊り金具を有することを特徴としている。
【０００９】
請求項３のポール装置は、請求項２の考案において、前記下部ポールの途中部に取り外し可能に固定され且つ上部ポールを立向き姿勢にして仮置き可能な仮置台を有することを特徴としている。
【００１０】
請求項４のポール装置は、請求項３の考案において、前記巻上げ手段を介して上部ポールを下部ポールの上端より高い位置まで巻上げてから、仮支柱をその軸心回りに手動操作にて回動させることで、上部ポールと下部ポールをほぼ同心状に位置合せ可能に構成されたことを特徴としている。
【００１１】
請求項５のポール装置は、請求項１〜４の何れかの考案において、前記上部ポールの下端部分が下部ポールの上端部分に外嵌され且つボルトにて固定されることを特徴としている。
【考案の効果】
【００１２】
請求項１の考案によれば、下部ポールと上部ポールとに分割されたポール部材とし、下部ポールの上端付近部分に支持金具を設け、この支持金具を介して仮支柱を回動可能に装着し、下部ポールを建ててから、上部ポールを巻き上げ手段により巻き上げ可能に構成したため、一人の作業者により、簡単に且つ安全に能率的にポール装置を建てることができる。しかも、支持金具と仮支柱と巻き上げ手段は、解体後別のポール装置に流用することができるため、装置の製作コストがさほど高価になることもない。
仮支柱を支持金具の円筒支持孔に支持した状態で回動可能に構成してあるため、この仮支柱を回動させることで吊り上げた上部ポールを下部ポールの上方位置へ移動させて、上部ポールを下部ポールに組み合せることができる。
【００１３】
請求項２の考案によれば、前記上部ポールの重心より上側の途中部に吊り固定金具を設け、前記巻き上げ手段は仮支柱に上下スライド可能に外装され且つ前記吊り固定金具に連結部材を介して連結された吊り金具を有するため、仮支柱に沿って上昇する吊り金具を介して上部ポールを吊り上げることができるから、上部ポールを吊り上げる際の姿勢安定性を高め、上部ポールと下部ポールとの軸心を合せるのが簡単になる。
【００１４】
請求項３の考案によれば、請求項２の考案において、前記下部ポールの途中部に取り外し可能に固定され且つ上部ポールを立向き姿勢にして仮置き可能な仮置台を有するため、上部ポールの吊り上げに際して、上部ポールを仮置台上に立向き姿勢にして仮置きし、この上部ポールに付設した吊り固定金具と吊り金具とを連結部材により連結することにより、吊り金具の上昇ストロークの不足を補うことができる。
【００１５】
請求項４の考案によれば、請求項３の考案において、前記巻上げ手段を介して上部ポールを下部ポールの上端より高い位置まで巻上げてから、仮支柱をその軸心回りに手動操作にて回動させることで、上部ポールと下部ポールをほぼ同心状に位置合せすることができる。
【００１６】
請求項５の考案によれば、請求項１〜４の何れかの考案において、前記上部ポールの下端部分が下部ポールの上端部分に外嵌され且つボルトにて固定されるため、上部ポールと下部ポールとを強固に連結することができる。
【考案を実施するための最良の形態】
【００１７】
本考案は、電線や電話引き込み線等を支持する為のポール装置に関し、特に下部ポールと、上部ポールと、支持金具と、巻上げ用の仮支柱と、手動操作にて巻き上げる巻上げ手段とを有するものである。
【実施例】
【００１８】
以下、本考案の実施例について図面に基づいて説明する。
図１に示すように、ポール装置１は、下部ポール２と、上部ポール３と、支持金具４と、仮支柱５と、上部ポール３を巻き上げる為の巻上げ機構７（巻上げ手段）と、仮置台６などを有する。
【００１９】
下部ポール２は、長さ約3.6 ｍの鋼製のパイプ材で構成され、その下端部分約１ｍが地中に埋め込み状に挿入されて地面に立設される。下部ポール２の上端部分は、絞り成形した小径部２a に構成にされている。下部ポール２の途中部には、図２に示すような上部ポールを立向き姿勢にして仮置き可能な仮置台６がＵバンド１０により取り外し可能に固定されている。この仮置台６を付設する高さ位置については後述する。
【００２０】
上部ポール３は、長さ約3.6 ｍの鋼製のパイプ材で構成されている。この上部ポール３の下端部分は下部ポール２の小径部２a に密に外嵌固定可能になっている。この上部ポール３の重心よりも上側の途中部に、図３に示すような吊り固定金具８が取り外し可能に固定されている。吊り固定金具８は、帯板製の１対のバンド部材１２と、これらのフランジ部を締結する１対のボルト１３a ・ナット１３b と、１対のバンド部材１２に水平に突設された１対の連結棒１４とを有する。
【００２１】
図４、図５に示すように、支持金具４は有底の円筒支持孔２１を有し、下部ポール２の上端付近部分に取り外し可能に固定されている。支持金具４は、底付きのパイプ材１７と、このパイプ材１７の一側面に壁部を外面側にして固着されたチャンネル材１８と、このチャンネル材１８の上段部と下段部とに固定された１対のバンド支持板１９と、これらバンド支持板１９に夫々付設されたＵバンド２０とを有する。この支持金具４は、１対のＵバンド２０により下部ポール２に固定されている。  
【００２２】
図１に示すように、巻上げ用の仮支柱５は、下部ポール２や上部ポール３よりも小径の鋼製のパイプ材（例えば、長さ約3.6 ｍ）で構成され、支持金具４の円筒支持孔２１に下端部分が回動自在に挿入されている。仮支柱５の下部には、仮支柱５を水平に貫通させた回動用レバー２５が設けられている。
【００２３】
巻上げ機構７は上部ポール３を手動操作にて巻上げる為のものであり、巻上げ機構７は、仮支柱５の上端部に付設された滑車３０と、仮支柱５に上下スライド可能に外装され且つ吊り固定金具８に連結部材３１を介して連結された吊り金具９と、一端部が吊り金具９に連結されて滑車３０を経由して下方へ延びるワイヤ３２と、ワイヤ３２の下端を仮に巻き付ける為の２つの仮巻付け棒２８とを有する。
【００２４】
図６、図７に示すように、吊り金具９は、仮支柱５に上下にスライド自在に外嵌された円筒部材３４と、平面視コ字形で上部ポール３を抱き込み可能で且つ吊り固定金具８の１対の連結棒１４の上方に対向可能なコ形部材３５とを有する。コ形部材３５は円筒部材３４の側面に固定され、コ形部材３５の幅方向中央部には、ワイヤ３２の一端部を連結するワイヤ連結部３６が設けられ、コ形部材３５の両腕部には吊り固定金具８の１対の連結棒１４に連結可能な１対の連結部材３１が連結されている。連結部材３１は、上下１対のフック３８を有し、上フック３８a がコ形部材３５の腕部３７に掛けられ、下フック３８b が連結棒１４に着脱可能にホンタッチで連結される。
【００２５】
巻上げ機構７の滑車３０は、仮支柱５の上端部に立設された１対のブラケット４０に回転自在に設けられ、ワイヤ３２は滑車３０に掛装されてワイヤ３２の一端部がワイヤ連結部３６に連結され、ワイヤ３２の他端側は下方へ延びて２つの仮巻付け棒２８に８字状に仮巻付けされる。
【００２６】
次に、このポール装置１の作用について説明する。
このポール装置１を建てる際には、先ず、下部ポール２の上端付近部分に支持金具４を取り付け、下部ポール２に仮置台６を取り付ける。このとき、上部ポール３に沿う吊り金具９の移動ストロークL が、仮置台６から下部ポール２の上端までの距離よりも長くなるような位置に仮置台６を取り付ける。
【００２７】
次に、仮支柱５の下端部分を支持金具４の円筒支持孔２１に挿入して保持し、巻き上げ機構７のワイヤ３２を仮支柱５の上端の滑車３０を経由して上部ポール３に連結した状態にする。
この状態において、地面の穴４４（深さ約１ｍ）に下部ポール２の下端部分を挿入して鉛直姿勢に建てて埋め戻すか、コンクリートを打ち込んで地面に強固に固定する。
【００２８】
次に、仮置台６上に上部ポール３を載せて鉛直姿勢に保持し、下降位置にした吊り金具９と吊り固定金具８とを１対の連結部材３１で連結し、この状態で、巻き上げ機構７のワイヤ３２を手動操作で巻き取っていくことにより、上部ポール３をその下端が下部ポール２の上端よりも高くなる位置まで吊り上げる。
【００２９】
次に仮支柱５を約９０度回動させることにより、上部ポール３を下部ポール２の上方に位置させて軸心を合せてから、下降させることにより、上部ポール３の下端部分を下部ポールの小径部２a に嵌合固定させる。次に、上部ポール３の下端部分に水平に取り付けた例えば４本のボルト４１を締結することで、上部ポール３を下部ポール２に固定する。その後、必要に応じて、支持金具４と、仮支柱５と、巻き上げ機構７を解体して取り外すと、ポール装置１が完成する。
【００３０】
このポール装置１によれば、下部ポール２と上部ポール３とに分割されたポール部材とし、下部ポール２の上端付近部分に支持金具４を設け、この支持金具４を介して仮支柱５を回動可能に装着し、下部ポール２を建ててから、上部ポール３を巻き上げ機構７により巻き上げ可能に構成したため、一人の作業者により、簡単に且つ安全に能率的にポール装置１を建てることができる。しかも、支持金具４と仮支柱５と巻き上げ機構７は、解体後別のポール装置に流用することができるため、装置の製作コストがさほど高価になることもない。
仮支柱５を支持金具４の円筒支持孔２１に支持した状態で回動可能に構成してあるため、この仮支柱５を回動させることで吊り上げた上部ポール３を下部ポール２の上方位置へ移動させて、上部ポール３を下部ポール２に組み合せることができる。
【００３１】
上部ポール３の重心より上側の途中部に吊り固定金具８を設け、巻き上げ機構７は仮支柱５に上下スライド可能に外装され且つ吊り固定金具８に連結部材３１を介して連結された吊り金具９を有するため、仮支柱５に沿って上昇する吊り金具９を介して上部ポール３を吊り上げることができるから、上部ポール３を吊り上げる際の姿勢安定性を高め、上部ポール３と下部ポール２との軸心を合せるのが簡単になる。
【００３２】
下部ポール２の途中部に取り外し可能に固定され且つ上部ポール３を立向き姿勢にして仮置き可能な仮置台６を有するため、上部ポール３の吊り上げに際して、上部ポール３を仮置台６上に立向き姿勢にして仮置きし、この上部ポール３に付設した吊り固定金具８と吊り金具９とを連結部材３１により連結することにより、吊り金具９の上昇ストロークの不足を補うことができる。
【００３３】
巻上げ機構７を介して上部ポール３を下部ポール２の上端より高い位置まで巻上げてから、仮支柱５をその軸心回りに手動操作にて回動させることで、上部ポール３と下部ポール２をほぼ同心状に位置合せることができる。
上部ポール３の下端部分が下部ポール２の小径部２a に外嵌され且つボルト４１にて固定されるため、上部ポール３と下部ポール２とを強固に連結することができる。
【００３４】
次に、前記実施例を部分的に変更する例について説明する。
（１）前記２つの仮巻付棒２８の代わりに、図８に示すような、手動ウインチ４２を支持金具４叉は下部ポール２に取り付けて、ワイヤ３２を巻き取るように構成してもよい
（２）仮置台６上に立てた上部ポール３が倒れるのを防止する倒れ止め部材を設けてもよい。
（３）仮支柱５の上端の１つの滑車３０の代わりに、仮支柱５の上端に上部ポール３を抱き込み可能なコ形部材を固定し、このコ形部材の両側の腕部に滑車を夫々付設し、これら滑車に２本のワイヤを夫々掛装して上部ポール３を巻き上げる構成とする場合には、仮置台６や吊り金具９を省略可能であり、地面上に水平寝かせた上部ポール３を２本のワイヤを介して吊り上げ可能になる。
【図面の簡単な説明】
【００３５】
【図１】本考案の実施例に係るポール装置の正面図である。
【図２】上部ポール仮置台の斜視図である。
【図３】吊り固定金具の斜視図である。
【図４】支持金具の斜視図である。
【図５】支持金具の平面図である。
【図６】巻き上げ機構の正面図である。
【図７】巻き上げ機構の断面図（図６のVII-VII 線断面図）である。
【図８】手動ウィンチの斜視図である。
【符号の説明】
【００３６】
１  ポール装置
２  下部ポール  
３  上部ポール
４  支持金具
５  仮支柱
６  仮置台
７  巻き上げ機構（巻き上げ手段）
８  吊り固定金具
９  吊り金具
２１  円筒支持孔
３０  滑車
３１  連結部材
３２  ワイヤ  
４１  ボルト  
【図１】
0003129614.tif 000003
【図２】
0003129614.tif 000004
【図３】
0003129614.tif 000005
【図４】
0003129614.tif 000006
【図５】
0003129614.tif 000007
【図６】
0003129614.tif 000008
【図７】
0003129614.tif 000009
【図８】
0003129614.tif 000010